(57)【要約】【課題】歩行しながら携帯端末を使用することによって生じうる事故を軽減すること。【解決手段】本発明の携帯端末制御装置１００は、所定のエリアの状況を評価するために利用する複数種類の評価情報を取得する取得部１２１と、複数種類の評価情報に基づいて、エリアの状況を評価する評価部１２２と、エリアの状況の評価に応じて、状況を評価したエリアに存在する携帯端末の動作を制御する制御部１２３と、を備える。【選択図】図５
2020150513.tif 000002
【特許請求の範囲】
【請求項１】
所定のエリアの状況を評価するために利用する複数種類の評価情報を取得し、
複数種類の前記評価情報に基づいて、前記エリアの状況を評価し、
前記エリアの状況の評価に応じて、状況を評価した前記エリアに存在する携帯端末の動作を制御する、
携帯端末制御方法。
【請求項２】
請求項１に記載の携帯端末制御方法であって、
前記エリアの混雑状況を評価可能な種類の前記評価情報と、前記エリアの混雑状況とは異なる他の状況を評価可能な種類の前記評価情報と、を含む複数種類の前記評価情報に基づいて、前記エリアの状況を評価する、
携帯端末制御方法。
【請求項３】
請求項２に記載の携帯端末制御方法であって、
前記エリアの混雑状況を評価可能な種類の前記評価情報と、前記エリアの安全状況を評価可能な種類の前記評価情報と、を含む複数種類の前記評価情報に基づいて、前記エリアの状況を評価する、
携帯端末制御方法。
【請求項４】
請求項２又は３に記載の携帯端末制御方法であって、
前記エリアの混雑状況を評価可能な種類の前記評価情報と、前記エリアが予め設定された特定状況であることを表す種類の前記評価情報と、を含む複数種類の前記評価情報に基づいて、前記エリアの状況を評価する、
携帯端末制御方法。
【請求項５】
請求項２乃至４のいずれかに記載の携帯端末制御方法であって、
前記エリアの混雑状況を評価可能な種類の前記評価情報と、前記エリアの過去の状況を表す種類の前記評価情報と、を含む複数種類の前記評価情報に基づいて、前記エリアの状況を評価する、
携帯端末制御方法。
【請求項６】
請求項２乃至５のいずれかに記載の携帯端末制御方法であって、
前記エリアの混雑状況を評価可能な種類の前記評価情報に基づいて当該エリアの混雑度を算出し、前記エリアの混雑状況とは異なる他の状況を評価可能な種類の前記評価情報に基づいて前記混雑度を変動させ、
前記混雑度の値に応じて、前記携帯端末の動作を制御する、
携帯端末制御方法。
【請求項７】
請求項１乃至６のいずれかに記載の携帯端末制御方法であって、
前記エリアに設置されていない機器から、少なくとも１つの種類の前記評価情報を取得する、
携帯端末制御方法。
【請求項８】
所定のエリアの状況を評価するために利用する複数種類の評価情報を取得する取得部と、
複数種類の前記評価情報に基づいて、前記エリアの状況を評価する評価部と、
前記エリアの状況の評価に応じて、状況を評価した前記エリアに存在する携帯端末の動作を制御する制御部と、
を備えた携帯端末制御装置。
【請求項９】
情報処理装置に、
所定のエリアの状況を評価するために利用する複数種類の評価情報を取得する取得部と、
複数種類の前記評価情報に基づいて、前記エリアの状況を評価する評価部と、
前記エリアの状況の評価に応じて、状況を評価した前記エリアに存在する携帯端末の動作を制御する制御部と、
を実現させるためのプログラム。
【発明の詳細な説明】
【技術分野】
【０００１】
本発明は、携帯端末制御方法、携帯端末制御装置、プログラムに関する。
【背景技術】
【０００２】
近年では、スマートフォンなどの携帯端末が普及し、ＳＮＳ（Ｓｏｃｉａｌ  Ｎｅｔｗｏｒｋｉｎｇ  Ｓｅｒｖｉｃｅ）、動画サービスなどの豊富なコンテンツがあることから、歩行しながら携帯端末を使用する行為が社会問題となっている。歩行しながら携帯端末を使用する行為中は、使用者の周囲への注意力が散漫となるため、混雑した場所や工事現場などの注意を要する場所では、衝突や転倒などの事故が発生しうる、という問題がある。このため、歩行しながら携帯端末を使用する行為を防止するための様々な技術が検討されている。
【０００３】
例えば、特許文献１では、まず、撮影装置からの撮影画像から撮影範囲の混雑状況を検出し、併せて、撮影範囲の人物の歩行状況を判定する。そして、撮影範囲が混雑しており、人物が歩行している場合には、人物の携帯端末に対して注意喚起の情報を表示したり、起動しているアプリケーションをロックすることが記載されている。
【先行技術文献】
【特許文献】
【０００４】
【特許文献１】特開２０１５−１３３００３号公報
【発明の概要】
【発明が解決しようとする課題】
【０００５】
しかしながら、上述した技術では、特定の範囲の撮影画像からかかる範囲の混雑状況を検出しているため、撮影装置が設置された特定の範囲に存在する人物の携帯端末にしか対応することができない。また、上述した技術では、混雑状況のみに基づいて携帯端末に対して処理を行っているため、その他の状況を考慮して適切に携帯端末に対する処理を行うことができない。このため、あらゆる場所や状況に応じて携帯端末を制御することができず、歩行しながら携帯端末を使用することによって生じうる事故を軽減することができない、という問題が生じる。
【０００６】
このため、本発明の目的は、上述した課題である、歩行しながら携帯端末を使用することによって生じうる事故を軽減することができない、ということを解決することにある。
【課題を解決するための手段】
【０００７】
本発明の一形態である携帯端末制御方法は、
所定のエリアの状況を評価するために利用する複数種類の評価情報を取得し、
複数種類の前記評価情報に基づいて、前記エリアの状況を評価し、
前記エリアの状況の評価に応じて、状況を評価した前記エリアに存在する携帯端末の動作を制御する、
という構成をとる。
【０００８】
また、本発明の一形態である携帯端末制御装置は、
所定のエリアの状況を評価するために利用する複数種類の評価情報を取得する取得部と、
複数種類の前記評価情報に基づいて、前記エリアの状況を評価する評価部と、
前記エリアの状況の評価に応じて、状況を評価した前記エリアに存在する携帯端末の動作を制御する制御部と、
を備えた、
という構成をとる。
【０００９】
また、本発明の一形態であるプログラムは、
情報処理装置に、
所定のエリアの状況を評価するために利用する複数種類の評価情報を取得する取得部と、
複数種類の前記評価情報に基づいて、前記エリアの状況を評価する評価部と、
前記エリアの状況の評価に応じて、状況を評価した前記エリアに存在する携帯端末の動作を制御する制御部と、
を実現させる、
という構成をとる。
【発明の効果】
【００１０】
本発明は、以上のように構成されることにより、歩行しながら携帯端末を使用することによって生じうる事故を軽減することができる。
【図面の簡単な説明】
【００１１】
【図１】本発明の実施形態１における携帯端末制御システムの構成を示すブロック図である。
【図２】図１に開示した制御装置及び携帯端末の構成を示す図である。
【図３】図１に開示した制御装置の動作を示すフローチャートである。
【図４】本発明の実施形態２における制御装置のハードウェア構成を示すブロック図である。
【図５】本発明の実施形態２における制御装置の構成を示すブロック図である。
【図６】本発明の実施形態２における制御装置の動作を示すフローチャートである。
【発明を実施するための形態】
【００１２】
＜実施形態１＞
本発明の第１の実施形態を、図１乃至図３を参照して説明する。図１乃至図２は、携帯端末制御システムの構成を説明するための図であり、図３は、その処理動作を説明するための図である。
【００１３】
［構成］
本発明における携帯端末制御システムは、所定のエリアにおける携帯端末の動作を制御するためのシステムである。例えば、本実施形態では、スポーツやコンサートなどのイベントを行うイベント会場Ｈの周囲を対象エリアとし、かかる対象エリアで歩行している人物の携帯端末を制御することとする。但し、対象エリアは、いかなるイベント会場であってもよく、いかなる場所であってもよい。
【００１４】
図１に示すように、携帯端末制御システムは、制御装置１０を備えており、かかる制御装置１０に、イベント会場Ｈの周囲の対象エリアに設置された撮影装置であるカメラＣと、種々の情報提供装置３０と、が接続されている。また、制御装置１０は、人物Ｐが使用するスマートフォンなどの携帯端末２０と通信可能である。
【００１５】
上記カメラＣは、対象エリアを撮影した撮影画像を取得し、制御装置１０に送信する。例えば、カメラＣは、イベント会場Ｈの入場ゲート付近などを対象エリアとして、かかる対象エリアに存在する人物Ｐが映るよう撮影画像を撮影する。そして、カメラＣは、撮影した撮影画像と共に、カメラＣを識別する識別情報も制御装置１０に送信する。
【００１６】
上記情報提供装置３０は、イベント会場Ｈに関する情報やイベント会場Ｈが位置する地域の情報など、種々の情報を提供するウェブサーバなどの情報処理装置である。例えば、情報提供装置３０は、イベント会場Ｈに関する情報として、会場の位置情報、開催イベントの内容や時間などのイベント情報、会場内のエリアマップ、過去に開催したイベントの動員数、などを提供する装置である。また、情報提供装置３０は、地域の情報として、天候情報、事故情報、工事情報、ハザードマップ、ＶＩＣＳ（Vehicle Information and Communication System）情報、予め設定された混雑度が高い場所を特定する情報（例えば、商店街、ショッピングモールなど）、予め設定された安全度が低い場所を特定する情報（例えば、川、海岸など）、などを提供する装置である。なお、情報提供装置３０が提供する情報は、上述した情報に限定されず、いかなる情報であってもよい。
【００１７】
上記携帯端末２０は、例えばスマートフォンといった、演算装置と記憶装置とを備えた情報処理端末である。そして、携帯端末２０は、演算装置がアプリケーションプログラムを実行することで、種々の機能が実現される。本実施形態では、携帯端末２０は、特に、図２に示すように、歩行判定部２１と、使用制限部２２と、を備える。
【００１８】
上記携帯端末２０の歩行判定部２１は、携帯端末２０に装備されている加速度センサやＧＰＳ（Global Positioning System）といった計測機器からの計測値に基づいて、携帯端末２０を所持している人物Ｐが歩行中であるか否かを判定する。そして、歩行判定部２１は、歩行中である場合に、その旨を携帯端末２０の識別情報と共に制御装置１０に送信する。なお、歩行判定部２１は、いかなる方法で歩行中であることを検出してもよい。
【００１９】
上記携帯端末２０の使用制限部２２は、後述するように、制御装置１０から送信された制御指令に応じて、人物Ｐが携帯端末２０を操作できないよう、当該携帯端末２０自体の動作を制御する。例えば、使用制限部２２は、制御装置１０からの制御指令に応じて、実行中のアプリケーションを停止したり、操作入力を受け入れないこととしたり、画面を消すなどの制御を行う。但し、使用制限部２２は、制御装置１０からの制御指令に応じて、いかなる制御を行ってもよい。
【００２０】
上記制御装置１０は、演算装置と記憶装置とを備えた１台又は複数台の情報処理装置にて構成される。そして、制御装置１０は、図２に示すように、演算装置がプログラムを実行することで構築された、情報取得部１１、評価部１２、端末制御部１３、を備える。また、制御装置１０は、記憶装置に形成された、取得情報記憶部１５、評価情報記憶部１６を備える。
【００２１】
上記情報取得部１１（取得部）は、上述したカメラＣ、情報提供装置３０、携帯端末２０から、種々の情報を取得して、取得情報記憶部１５に蓄積する。具体的に、情報取得部１１は、カメラＣからは、イベント会場Ｈ周囲の対象エリアが撮影された撮影画像を一定の時間間隔で取得し、かかる撮影画像を対象エリアの状況を評価するために利用する評価情報として取得情報記憶部１５に記憶する。このとき、情報取得部１１は、撮影画像と共に送信されたカメラＣの識別情報に基づいて、撮影画像が撮影された対象エリアを特定し、かかる対象エリアを特定するエリア情報に関連付けて撮影画像を記憶する。
【００２２】
また、情報取得部１１は、各情報提供装置３０からは、上述したように各情報提供装置３０が提供する情報のうち、イベント会場Ｈ周囲の対象エリアに関連する情報を選択して取得し、対象エリアの状況を評価するために利用する評価情報として取得情報記憶部１５に記憶する。このとき、情報取得部１１は、取得した情報を、対象エリアを特定するエリア情報に関連付けて記憶する。例えば、情報取得部１１は、イベント会場Ｈに関する情報として、会場の位置情報、開催イベントの内容や時間などのイベント情報、会場内のエリアマップ、過去に開催したイベントの動員数、などを評価情報として取得する。また、情報取得部１１は、対象エリアの地域の情報として、天候情報、事故情報、工事情報、ハザードマップ、ＶＩＣＳ情報、予め設定された混雑度が高い場所を特定する情報（例えば、商店街、ショッピングモールなど）、予め設定された安全度が低い場所を特定する情報（例えば、川、海岸など）、などを評価情報として取得する。
【００２３】
情報取得部１１は、上述したように対象エリアに関連する情報を取得して取得情報記憶部１５に記憶することで、対象エリア毎に、評価情報がまとめられて取得情報記憶部１５に記憶されることとなる。このとき、情報取得部１１は、対象エリアに設置された機器であるカメラＣから評価情報を取得したり、対象エリアに設置されていない機器である情報提供装置３０からも評価情報を取得する。そして、情報取得部１１は、上述したように複数種類の評価情報を取得することとなる。例えば、対象エリアの撮影画像などは、後述するように対象エリアの混雑状況を評価可能な種類の評価情報であり、イベント情報、天候情報などは、対象エリアで生じている状況と言った他の状況を表す種類の評価情報である。また、工事情報や安全度が低い場所を特定する情報などは、対象エリアの安全状況と言った状況を評価可能な種類の評価情報であり、予め設定された混雑度が高い場所を特定する情報や、予め設定された安全度が低い場所を特定する情報などは、対象エリアが予め設定された特定状況であることを表す種類の評価情報である。さらに、過去に開催したイベントの動員数などは、対象エリアの過去の状況を表す種類の評価情報である。なお、情報取得部１１は、さらに対象エリアの他の状況を評価可能であったり、他の状況を表す評価情報を取得してもよい。
【００２４】
また、情報取得部１１は、携帯端末２０から送信された、当該携帯端末２０が歩行中である旨の情報を取得して、携帯端末２０の位置情報と共に情報取得記憶部１５に記憶する。このとき、情報取得部１１は、携帯端末２０から当該携帯端末２０の位置情報を取得してもよく、基地局などから携帯端末２０の位置情報を取得してもよい。
【００２５】
上記評価部１３は、上述したように取得情報記憶部１５に記憶した各種の評価情報を用いて、対象エリアにおいて人物Ｐが歩行中に携帯端末２０を使用してよい状況であるか、利用してはいけない状況であるか、を評価する。具体的に、評価部１３は、まず、上述した撮影画像などの対象エリアの混雑状況を評価可能な種類の評価情報から、対象エリアの混雑度合いを表す混雑度を算出する。このとき、評価部１３は、撮影画像に映る物体の形状や色、動きから、当該撮影画像内の人物Ｐを検出し、かかる人物Ｐの人数や密度などから、対象エリアの混雑度を算出する。例えば、評価部１３は、人物Ｐの人数が多い場合には、対象エリアの混雑度が高くなるよう当該混雑度を算出する。
【００２６】
そして、評価部１３は、上述したように撮影画像に基づいて算出した上記混雑度を、他の評価情報に基づいて修正して変動させ、評価得点として算出する。ここで、混雑度を修正して評価得点を算出する例をいくつか説明する。例えば、イベント情報からは、対象エリアでイベントが行われていない場合には、混雑度を下げるよう修正し、天候情報からは、雨が降っている場合には、混雑度を上げるよう修正する。また、事故情報、ＶＩＣＳ情報からは、周囲の道路が渋滞している場合には、混雑度を下げるよう修正する。また、工事情報や安全度が低い場所を特定する情報、混雑度が高い場所を特定する情報からは、そのような場所が対象エリアである場合には、混雑度を上げるよう修正する。また、逆に、安全度が高い場所を特定する情報、混雑度が低い場所を特定する情報からは、そのような場所が対象エリアである場合には、混雑度を下げるよう修正する。また、イベント情報や過去に開催したイベントの動員数といった情報からは、過去の同一イベントの動員数が多い場合には、混雑度を上げるよう修正する。そして、評価部１３は、対象エリア毎に算出した評価得点を、評価情報記憶部１６に記憶しておく。
【００２７】
評価部１３は、以上のように評価得点を算出することで、撮影画像に基づく実際の対象エリアの混雑状況に対応した混雑度を、他の状況を考慮して修正した評価得点とすることができる。例えば、実際には混雑しているものの、安全な場所と特定されている場合には、低い評価得点となる。一方で、実際には混雑していないものの、安全性が低い場所と特定されている場合には、高い評価得点となる。
【００２８】
そして、評価部１３は、以上のように算出して評価記憶部１６に記憶した対象エリアの評価得点から、携帯端末２０の制御が必要な対象エリアであるか否かを判定する。例えば、評価得点が高く、予め設定された閾値を超えた場合に、かかる対象エリアを制御が必要な対象エリアとして判定する。このため、上述したように、実際には混雑しているものの、安全な場所と特定されていて低い評価得点となる対象エリアは、制御が必要な対象エリアとして判定されない。一方で、実際には混雑していないものの、安全性が低い場所と特定されていて高い評価得点となる対象エリアは、制御が必要な対象エリアとして判定される。そして、評価部１３は、対象エリアの判定結果を評価情報記憶部１６に記憶する。
【００２９】
上記端末制御部１３は、上述したように制御が必要と判定された対象エリア内に存在する携帯端末２０の動作を制御する。例えば、端末制御部１３は、取得情報記憶部１５内に記憶されている携帯端末２０の位置情報に基づいて、制御が必要と判定された対象エリア内に存在している携帯端末２０を抽出する。このとき、取得情報記憶部１５内に記憶されている携帯端末２０は歩行中であるため、端末制御部１３は、抽出した携帯端末２０で起動しているアプリケーションを停止する制御指令を当該携帯端末２０に送信する。なお、端末制御部１３は、携帯端末２０に対して、当該携帯端末２０の操作ができなくなるような別の制御指令を送信してもよい。
【００３０】
［動作］
次に、上述した携帯端末制御システムの動作を、主に図３のフローチャートを参照して説明する。まず、制御装置１０は、対象エリアに設置されたカメラＣ、種々の情報提供装置３０、対象エリアに位置する携帯端末２０から、対象エリアに関する情報を取得する（ステップＳ１）。例えば、制御装置１０は、カメラＣからは、対象エリアを撮影した撮影画像を取得し、情報提供装置３０からは、対象エリアのイベント情報や、対象エリアの地域の情報などを取得し、これらを評価情報として取得情報記憶部１５に記憶しておく。また、制御装置１０は、携帯端末２０から、かかる携帯端末２０が歩行中である旨の情報を取得し、取得情報記憶部１５に記憶しておく。
【００３１】
続いて、制御装置１０は、取得した撮影画像などの対象エリアの混雑状況を評価可能な種類の評価情報から、対象エリアの混雑度合いを表す混雑度を算出する（ステップＳ２）。続いて、制御装置１０は、その他の種類の評価情報から、混雑度を修正して評価得点を算出する（ステップＳ３）。例えば、制御装置１０は、工事情報や安全度が低い場所を特定する情報、混雑度が高い場所を特定する情報から、そのような場所が対象エリアである場合には、混雑度を上げるよう修正する。また、安全度が高い場所を特定する情報、混雑度が低い場所を特定する情報から、そのような場所が対象エリアである場合には、混雑度を下げるよう修正する。また、イベント情報や過去に開催したイベントの動員数といった情報から、過去の同一イベントの動員数が多い場合には、混雑度を上げるよう修正する。
【００３２】
続いて、制御装置１０は、算出した評価得点が閾値を超えている場合には、対象エリアを携帯端末２０の制御が必要な対象エリアとして判定する（ステップＳＳ４）。そして、制御装置１０は、携帯端末２０から取得した情報に基づいて、制御が必要と判定された対象エリア内に存在する携帯端末２０を所持する人物Ｐが歩行中であるか否かを調べる（ステップＳ５）。そして、対象エリアに歩行中の人物Ｐが所持する携帯電話２０が存在している場合には、携帯端末２０で起動しているアプリケーションを停止するなど人物Ｐに携帯端末２０の使用を中止させるような制御指令を、当該携帯端末２０に送信する（ステップＳ６）。
【００３３】
以上のように、本発明では、制御装置１０が、対象エリアの撮影画像など直接混雑状況を評価するような種類の評価情報に限らず、その他の評価情報も取得して、対象エリアにおいて人物Ｐが歩行中に携帯端末２０を使用してよい状況であるかどうかを判断している。このため、例えば、実際には混雑しているものの、安全な場所と特定されている場合には、制御が必要な対象エリアとして判定されず、一方で、実際には混雑していないものの、安全性が低い場所と特定されていて高い評価得点となる対象エリアは、制御が必要な対象エリアとして判定される。その結果、あらゆる場所や状況に応じて、適切に携帯端末を制御することができ、歩行しながら携帯端末を使用することによって生じうる事故を軽減することができる。
【００３４】
なお、上記では、対象エリアの混雑度を評価可能な種類の評価情報として、対象エリアに設置されたカメラＣで撮影した撮影画像を挙げたが、かかる撮影画像は、いかなる方法で撮影されてもよい。例えば、ドローンに搭載されたカメラや人物Ｐが所持する携帯端末２０のカメラなど、対象エリアに設置されていない機器で撮影された撮影画像を用いてもよい。また、撮影画像に限らず、人感センサによる検出値や対象エリアの音情報（騒音）などを、混雑度を評価可能な種類の評価情報として取得し、混雑度を算出してもよい。この場合、対象エリアに存在する人物Ｐの携帯端末２０に搭載されたセンサやマイクを用いて評価情報を取得し、混雑度を算出してもよい。
【００３５】
＜実施形態２＞
次に、本発明の第２の実施形態を、図４乃至図６を参照して説明する。図４乃至図５は、実施形態２における携帯端末制御装置の構成を示すブロック図であり、図６は、携帯端末制御装置の動作を示すフローチャートである。なお、本実施形態では、実施形態１で説明した制御装置及び制御装置による処理方法の構成の概略を示している。
【００３６】
まず、図４を参照して、本実施形態における携帯端末制御装置１００のハードウェア構成を説明する。携帯端末制御装置１００は、一般的な情報処理装置にて構成されており、一例として、以下のようなハードウェア構成を装備している。
・ＣＰＵ（Ｃｅｎｔｒａｌ  Ｐｒｏｃｅｓｓｉｎｇ  Ｕｎｉｔ）１０１（演算装置）
・ＲＯＭ（Ｒｅａｄ  Ｏｎｌｙ  Ｍｅｍｏｒｙ）１０２（記憶装置）
・ＲＡＭ（Ｒａｎｄｏｍ  Ａｃｃｅｓｓ  Ｍｅｍｏｒｙ）１０３（記憶装置）
・ＲＡＭ１０３にロードされるプログラム群１０４
・プログラム群１０４を格納する記憶装置１０５
・情報処理装置外部の記憶媒体１１０の読み書きを行うドライブ装置１０６
・情報処理装置外部の通信ネットワーク１１１と接続する通信インタフェース１０７
・データの入出力を行う入出力インタフェース１０８
・各構成要素を接続するバス１０９
【００３７】
そして、携帯端末制御装置１００は、プログラム群１０４をＣＰＵ１０１が取得して当該ＣＰＵ１０１が実行することで、図５に示す取得部１２１と評価部１２２と制御部１２３とを構築して装備することができる。なお、プログラム群１０４は、例えば、予め記憶装置１０５やＲＯＭ１０２に格納されており、必要に応じてＣＰＵ１０１がＲＡＭ１０３にロードして実行する。また、プログラム群１０４は、通信ネットワーク１１１を介してＣＰＵ１０１に供給されてもよいし、予め記憶媒体１１０に格納されており、ドライブ装置１０６が該プログラムを読み出してＣＰＵ１０１に供給してもよい。但し、上述した取得部１２１と評価部１２２と制御部１２３とは、電子回路で構築されるものであってもよい。
【００３８】
なお、図４は、携帯端末制御装置１００である情報処理装置のハードウェア構成の一例を示しており、情報処理装置のハードウェア構成は上述した場合に例示されない。例えば、情報処理装置は、ドライブ装置１０６を有さないなど、上述した構成の一部から構成されてもよい。
【００３９】
そして、携帯端末制御装置１００は、上述したようにプログラムによって構築された取得部１２１と評価部１２２と制御部１２３との機能により、図６のフローチャートに示す携帯端末制御方法を実行する。
【００４０】
図６に示すように、携帯端末制御装置１００は、
所定のエリアの状況を評価するために利用する複数種類の評価情報を取得し（ステップＳ１）、
複数種類の前記評価情報に基づいて、前記エリアの状況を評価し（ステップＳ２）、
前記エリアの状況の評価に応じて、状況を評価した前記エリアに存在する携帯端末の動作を制御する（ステップＳ３）。
【００４１】
本発明は、以上のように構成されることにより、エリアの状況を評価可能な複数種類の評価情報に基づいて、エリアの状況を評価し、かかるエリアの携帯端末を制御している。このため、エリアのあらゆる状況を適切に判断でき、エリアの状況に合わせて適切に携帯端末を制御することができる。その結果、歩行しながら携帯端末を使用することによって生じうる事故を軽減することができる。
【００４２】
＜付記＞
上記実施形態の一部又は全部は、以下の付記のようにも記載されうる。以下、本発明における携帯端末制御方法、携帯端末制御装置、プログラムの構成の概略を説明する。但し、本発明は、以下の構成に限定されない。
【００４３】
（付記１）
所定のエリアの状況を評価するために利用する複数種類の評価情報を取得し、
複数種類の前記評価情報に基づいて、前記エリアの状況を評価し、
前記エリアの状況の評価に応じて、状況を評価した前記エリアに存在する携帯端末の動作を制御する、
携帯端末制御方法。
【００４４】
（付記２）
付記１に記載の携帯端末制御方法であって、
前記エリアの混雑状況を評価可能な種類の前記評価情報と、前記エリアの混雑状況とは異なる他の状況を評価可能な種類の前記評価情報と、を含む複数種類の前記評価情報に基づいて、前記エリアの状況を評価する、
携帯端末制御方法。
【００４５】
（付記３）
付記２に記載の携帯端末制御方法であって、
前記エリアの混雑状況を評価可能な種類の前記評価情報と、前記エリアの安全状況を評価可能な種類の前記評価情報と、を含む複数種類の前記評価情報に基づいて、前記エリアの状況を評価する、
携帯端末制御方法。
【００４６】
（付記４）
付記２又は３に記載の携帯端末制御方法であって、
前記エリアの混雑状況を評価可能な種類の前記評価情報と、前記エリアが予め設定された特定状況であることを表す種類の前記評価情報と、を含む複数種類の前記評価情報に基づいて、前記エリアの状況を評価する、
携帯端末制御方法。
【００４７】
（付記５）
付記２乃至４のいずれかに記載の携帯端末制御方法であって、
前記エリアの混雑状況を評価可能な種類の前記評価情報と、前記エリアの過去の状況を表す種類の前記評価情報と、を含む複数種類の前記評価情報に基づいて、前記エリアの状況を評価する、
携帯端末制御方法。
【００４８】
（付記６）
付記２乃至５のいずれかに記載の携帯端末制御方法であって、
前記エリアの混雑状況を評価可能な種類の前記評価情報に基づいて当該エリアの混雑度を算出し、前記エリアの混雑状況とは異なる他の状況を評価可能な種類の前記評価情報に基づいて前記混雑度を変動させ、
前記混雑度の値に応じて、前記携帯端末の動作を制御する、
携帯端末制御方法。
【００４９】
（付記７）
付記１乃至６のいずれかに記載の携帯端末制御方法であって、
前記エリアに設置されていない機器から、少なくとも１つの種類の前記評価情報を取得する、
携帯端末制御方法。
【００５０】
（付記８）
所定のエリアの状況を評価するために利用する複数種類の評価情報を取得する取得部と、
複数種類の前記評価情報に基づいて、前記エリアの状況を評価する評価部と、
前記エリアの状況の評価に応じて、状況を評価した前記エリアに存在する携帯端末の動作を制御する制御部と、
を備えた携帯端末制御装置。
【００５１】
（付記８．１）
付記８に記載の携帯端末制御装置であって、
前記評価部は、前記エリアの混雑状況を評価可能な種類の前記評価情報と、前記エリアの混雑状況とは異なる他の状況を評価可能な種類の前記評価情報と、を含む複数種類の前記評価情報に基づいて、前記エリアの状況を評価する、
携帯端末制御装置。
【００５２】
（付記８．２）
付記８．１に記載の携帯端末制御装置であって、
前記評価部は、前記エリアの混雑状況を評価可能な種類の前記評価情報と、前記エリアの安全状況を評価可能な種類の前記評価情報と、を含む複数種類の前記評価情報に基づいて、前記エリアの状況を評価する、
携帯端末制御装置。
【００５３】
（付記８．３）
付記８．１又は８．３に記載の携帯端末制御装置であって、
前記評価部は、前記エリアの混雑状況を評価可能な種類の前記評価情報と、前記エリアが予め設定された特定状況であることを表す種類の前記評価情報と、を含む複数種類の前記評価情報に基づいて、前記エリアの状況を評価する、
携帯端末制御装置。
【００５４】
（付記８．４）
付記８．１乃至８．３のいずれかに記載の携帯端末制御装置であって、
前記評価部は、前記エリアの混雑状況を評価可能な種類の前記評価情報と、前記エリアの過去の状況を表す種類の前記評価情報と、を含む複数種類の前記評価情報に基づいて、前記エリアの状況を評価する、
携帯端末制御装置。
【００５５】
（付記８．５）
付記８．１乃至８．４のいずれかに記載の携帯端末制御装置であって、
前記評価部は、前記エリアの混雑状況を評価可能な種類の前記評価情報に基づいて当該エリアの混雑度を算出し、前記エリアの混雑状況とは異なる他の状況を評価可能な種類の前記評価情報に基づいて前記混雑度を変動させ、
前記制御部は、前記混雑度の値に応じて、前記携帯端末の動作を制御する、
携帯端末制御装置。
【００５６】
（付記８．６）
付記８乃至８．５のいずれかに記載の携帯端末制御装置であって、
前記取得部は、前記エリアに設置されていない機器から、少なくとも１つの種類の前記評価情報を取得する、
携帯端末制御装置。
【００５７】
（付記９）
情報処理装置に、
所定のエリアの状況を評価するために利用する複数種類の評価情報を取得する取得部と、
複数種類の前記評価情報に基づいて、前記エリアの状況を評価する評価部と、
前記エリアの状況の評価に応じて、状況を評価した前記エリアに存在する携帯端末の動作を制御する制御部と、
を実現させるためのプログラム。
【００５８】
なお、上述したプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５９】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００６０】
１０  制御装置
１１  情報取得部
１２  評価部
１３  端末制御部
１５  取得情報記憶部
１６  評価情報記憶部
２０  携帯端末
２１  歩行判定部
２２  使用制御部
３０  情報提供装置
Ｃ  カメラ
Ｈ  イベント会場
Ｐ  人物
１００  携帯端末制御装置
１０１  ＣＰＵ
１０２  ＲＯＭ
１０３  ＲＡＭ
１０４  プログラム群
１０５  記憶装置
１０６  ドライブ装置
１０７  通信インタフェース
１０８  入出力インタフェース
１０９  バス
１１０  記憶媒体
１１１  通信ネットワーク
１２１  取得部
１２２  評価部
１２３  制御部
【図１】
2020150513.tif 000003
【図２】
2020150513.tif 000004
【図３】
2020150513.tif 000005
【図４】
2020150513.tif 000006
【図５】
2020150513.tif 000007
【図６】
2020150513.tif 000008